(57)【特許請求の範囲】
【請求項１】
電話回線に接続された通信端末装置において、
前記電話回線からの特定周期の呼び出し信号を検出する呼び出し信号検出手段と、
この呼び出し信号の継続時間を検出する継続時間検出手段と、
この継続時間が所定時間以内か否かを判別する手段と、
前記呼び出し信号の継続時間が所定時間以内との判別に応じて、前記呼び出し信号を着信転送警告信号であるとして警告報知する報知手段と、
前記呼び出し信号の継続時間が所定時間を超えるとの判別に応じて、前記呼び出し信号を情報受信端末起動信号として発信者情報を検出する発信者情報検出手段と、
を備えることを特徴とする通信端末装置。
【請求項２】
前記発信者情報を検出する手段で発信者情報を検出した後、前記特定周期の呼び出し信
号を検出した場合、その継続時間が前記所定時間以内か否かを判別し、この継続時間が前記所定時間以内の場合、着信転送警告信号と判断し、その旨を警告報知し、前記継続時間が前記所定時間を超える場合は、他の情報受信端末起動信号と判別し、発信者情報を検出することを特徴とする請求項１記載の通信端末装置。
【請求項３】
前記呼び出し信号検出手段で検出される特定周期とは異なる他の第２の周期の呼び出し信号を検出する第２の呼び出し信号検出手段を備え、この第２の周期の呼び出し信号を検出した場合は、前記電話回線を捕捉し、通信を行うようにしたことを特徴とする請求項１ 又は請求項２記載の通信端末装置。
【発明の詳細な説明】
【０００１】
【発明の属する技術分野】
この発明は、転送機能を有する通信端末装置に関する。
【０００２】
【従来の技術】
従来、電話を転送するサービス、いわゆるＮＴＴのボイスワープでは、着信後、転送番号を交換機に送出するモードと、交換機が自動で転送する自動モードがある。ここで、自動転送の場合、転送したことを示すため、交換機はＴＩＲ信号（着信転送警告信号）なる呼び出し信号を着信端末装置に送出する。一方、ナンバーディスプレイサービスでは、ＣＡＲ（情報受信端末起動信号）が使用される。
【０００３】
【発明が解決しようとする課題】
上記したＴＩＲ信号とＣＡＲ信号は、いずれも０．５秒ＯＮ／ＯＦＦの同形式の信号であるため、ボイスワープサービスとナンバーディスプレイサービスを併用すると、ＴＩＲ信号とＣＡＲ信号の区別がつかないという問題があった。
【０００４】
この発明は上記問題点に着目してなされたものであって、ボイスワープサービスとナンバーディスプレイサービスを併用する場合でも、ＴＩＲ信号とＣＡＲ信号の区別をなし得る通信端末装置を提供することを目的としている。
【０００５】
【課題を解決するための手段】
この発明の請求項１に係る通信端末装置は、電話回線に接続された通信端末装置において、前記電話回線からの特定周期の呼び出し信号を検出する呼び出し信号検出手段と、この呼び出し信号の継続時間を検出する継続時間検出手段と、この継続時間が所定時間以内か否かを判別する手段と、前記呼び出し信号の継続時間が所定時間以内との判別に応じて、前記呼び出し信号を着信転送警告信号であるとして警告報知する報知手段と、前記呼び出し信号の継続時間が所定時間を超えるとの判別に応じて、前記呼び出し信号を情報受信端末起動信号として発信者情報を検出する発信者情報検出手段と、を備えている。
【０００６】
この通信端末装置では、特定周期の呼び出し信号が入ると、その継続時間が所定時間を超えるか否か判定される。この所定時間が着信転送警告信号の継続時間と、情報受信端末信号の継続時間との間に設定されておれば、呼び出し時間が所定時間以内の場合は、着信転送警告信号と、また呼び出し時間が所定時間を超えて継続する場合は、情報受信端末起動信号であると区別できる。
【０００７】
また、請求項２に係る通信端末装置は、請求項１に係るものにおいて、前記発信者情報を検出する手段で発信者情報を検出した後、前記特定周期の呼び出し信号を検出した場合、その継続時間が前記所定時間以内か否かを判別し、この継続時間が前記所定時間以内の場合、着信転送警告信号と判断し、その旨を警告報知し、前記継続時間が前記所定時間を超える場合は、他の情報受信端末起動信号と判別し、発信者情報を検出することを特徴とする。
【０００８】
この通信端末装置では、発信者情報を検出した後、特定周期の呼び出し信号が入ると、その継続時間が所定時間を超えるか否か判定される。呼び出し時間が所定時間以内の場合は着信転送警告信号と、また呼び出し時間が所定時間を超えて継続する場合は情報受信端末起動信号であると区別する。
【０００９】
【発明の実施の形態】
以下、実施の形態により、この発明をさらに詳細に説明する。図１は、この発明の一実施形態ファクシミリ装置（通信端末装置）が適用される通信システムの機器構成を示すブロック図である。図１では、ファクシミリ装置１１を有するユーザに発信元１３から交換機１２を介して、ファックスあるいは電話を受けた場合に、交換機１２を介して転送先１４に受信情報を転送する場合を想定している。
【００１０】
ファクシミリ装置１１は、図２に示すように、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０とを備えている。ＮＣＵ１は、電話回線２１との接続を制御するとともに、相手先の電話番号（＝対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。また、モデム２はナンバーディスプレイ情報を受信するためにＶ２３機能も備えている。画像メモリ３は受信画像データや読み取り部９で読み取られた画像データを一時的に記憶する。ＲＡＭ４は、ファクシミリ装置に関する各種情報を一時的に記憶する。ＲＯＭ５は装置全体を制御するためのプログラムを記憶する。主制御部６はＣＰＵで構成され、ＲＯＭ５に記憶されたプログラムに従い、装置を構成する各部を制御する。表示部７は装置の動作状態等の各種情報の表示を行う。操作部８はテンキー、ワンタッチキー、スタートキー、その他のキーで構成される。読み取り部９は原稿上の画像データを読み取って、白黒２値のイメージデータを出力する。記録部１０は、電子写真式のプリンタよりなり、受信画像データやコピー動作において、読み取り部９で読み取られた原稿の画像データを記録紙上に記録する。もっとも、ここに示す実施形態ファクシミリ装置１１のハード構成は、特に新規なものではなく、各回路構成自体は、既によく知られたものである。この実施形態ファクシミリ装置の新規な特徴事項は、ＲＯＭ５に格納されるシステムプログラムにより、主制御部６が実行する処理により、達成される機能にある。
【００１１】
以下、この実施形態ファクシミリ装置の処理機能の特徴を、図３、図４に示すフロー図を参照して説明する。
【００１２】
動作が開始されると、先ずステップＳＴ１においては待機状態に入り、ステップＳＴ２に移行する。ステップＳＴ２においては、ＣＩが検出されたか、つまり呼び出し信号が入ったか判定する。ＣＩが検出されない場合は、ステップＳＴ１に戻り、待機する。ＣＩが検出されると、ステップＳＴ３に移行する。
【００１３】
ステップＳＴ３においては、ＣＩ列がＣＡＲ信号、もしくはＴＩＲ信号であるか否かを判定する。ＣＡＲ信号とＴＩＲ信号は、いずれも０．５秒ＯＮ／ＯＦＦの信号なので、そのような信号であるか否か判定する。ＣＩ列がＣＡＲ信号、ＴＩＲ信号である場合は、ステップＳＴ４へ移行する。一方、ＣＩ列がＣＡＲ信号、ＴＩＲ信号でない場合には、ステップＳＴ１２へ移行する。
【００１４】
ステップＳＴ４においては、ＣＩ列のＯＮ（０．５秒）／ＯＦＦ（０．５秒）が３秒以上続いているか否かを判定する。このＣＩ列が３秒以上続いていない場合は、ＣＩ列はＴＩＲ信号であるとして、ステップＳＴ１７へ移行する。一方、ＣＩ列のＯＮ（０．５秒）／ＯＦＦ（０．５秒）が３秒以上続いている場合は、ＣＩ列がＣＡＲ信号であるとして、ステップＳＴ５に移行する。ステップＳＴ５においては、回線を閉結し、ステップＳＴ６へ移行する。
【００１５】
ステップＳＴ１７においては、３秒以上ＣＩが検出されていないか否かを判定する。３秒以上ＣＩが検出されていない場合は、ステップＳＴ１９へ移行する。一方、３秒を経過しないのでＣＩが検出された場合は、ステップＳＴ１８へ移行する。ステップＳＴ１９においては、直前のＣＩ列はＴＩＲたったか否かを判定する。直前のＣＩ列がＴＩＲであった場合は、ステップＳＴ２０に移行する。ステップＳＴ２０においては、表示部７に転送を表示し、ステップＳＴ１に戻る。ステップＳＴ１８においては、ＣＩが検出されたか否かを検出する。ＣＩが検出された場合は、ステップＳＴ３へ戻る。ＣＩが検出されない場合は、ステップＳＴ１７に戻る。３秒以上ＣＩが検出されない状態となるまで、ステップＳＴ１７、ＳＴ１８の処理が繰り返される。
【００１６】
ステップＳＴ２、ＳＴ３、ＳＴ４、ＳＴ１７〜ＳＴ２０のルーチンは、ナンバーディスプレイ無しで交換機が自動転送を行った場合の処理である。“転送”の表示を見て、ユーザは交換機が自動転送したことを知ることができる。
【００１７】
ステップＳＴ６においては、発信元情報をモデム２で検出し、メモリに格納する。そして、表示部７に受信したその発信元情報を表示し、ステップＳＴ７に移行する。ステップＳＴ７においては、回線を開放し、ステップＳＴ８へ移行する。ステップＳＴ８においては、ＣＩが検出されたか否かを判定する。ＣＩが検出されておれば、ステップＳＴ９へ移行する。一方、ＣＩが検出されなかった場合、ステップＳＴ１３へ移行する。ステップＳＴ１３においては、３秒以上ＣＩが検出されないか否かを判定する。３秒以上検出されない場合は、ステップＳＴ１４に移行する。一方、３秒内でＣＩが検出された場合は、ステップＳＴ８に戻る。
【００１８】
ステップＳＴ９においては、ＣＩ列はＣＡＲ信号とＴＩＲ信号のどちらかであるか否かを判定する。ＣＩ列がＣＡＲ信号、ＴＩＲ信号のどちらかである場合は、ステップＳＴ１０へ移行する。一方、ＣＡＲ信号、ＴＩＲ信号でない場合は、ステップＳＴ１１へ移行する。ステップＳＴ１１においては、ＣＩ列がＩＲ信号、つまり本来の呼び出し信号であるか否かを判定する。具体的にはＣＩ列が１秒ＯＮ、２秒ＯＦＦの信号であるか否かを確認し、そうであればＩＲ信号である。ＩＲ信号であれば、ステップＳＴ２１へ移行し、着信処理する。一方、ＣＩ列がＩＲ信号でなければ、ステップＳＴ８に戻る。
【００１９】
ステップＳＴ１０においては、ＣＩ列が３秒以上続いているか否かを判定する。ＣＩ列の継続が３秒以内である場合は、ステップＳＴ８へ移行する。一方、ＣＩ列が３秒以上続いている場合は、ステップＳＴ５へ移行する。
【００２０】
ステップＳＴ１０から移行後のステップＳＴ５においては、回線を閉結し、ステップＳＴ６へ移行する。そして、ステップＳＴ６においては、その発信元情報をモデム２で検出し、メモリに格納する。そして、表示部７に受信したその発信元情報を表示する。
【００２１】
ステップＳＴ１４においては、前のＣＩが無しか、あるいはＣＩ列の長さがＴＩＲ長より小さいかを判定する。ＣＩが無しか、ＴＩＲ長より小さい場合は、そのままステップＳＴ１に戻る。前のＣＩ有り、あるいはＴＩＲ長より小さくない場合は、ステップＳＴ１５へ移行する。ステップＳＴ１５においては、ＣＩ列がＴＩＲであったか否かを判定し、ＴＩＲであるとステップＳＴ１６へ移行する。そして、表示部７に発信元情報とともに“転送”を表示する。
【００２２】
ステップＳＴ５からＳＴ１０へ、さらにＳＴ５、ＳＴ６に戻るルーチンの処理で、発信元情報が受信された後、先の発呼者が発呼を放棄し、続いて他の発呼があった場合に、ＣＩ列が３秒以上続いたことに応じて、新たな発呼者の発信元情報が表示されるので、ユーザは、表示部を見てその旨を知ることができる。
【００２３】
また、ステップＳＴ６からＳＴ１０、さらにＳＴ８、ＳＴ１３〜ＳＴ１６のルーチンの処理により、発信元情報が受信された後、ＣＩ列が３秒以上続かないことの検出に応じて、表示部７に転送及び発信元情報が表示されるので、ユーザは交換機により自動転送されたこと、及びその発信元の電話番号も知ることができる。
【００２４】
ステップＳＴ１２においては、ＣＩ列がＩＲ信号か否かを判定する。ＣＩ列がＩＲ信号であると、本来の呼び出し信号であるとして、ステップＳＴ２１に移行し、着信処理を行う。一方、ＣＩ列がＩＲ信号でないと、ステップＳＴ１７に移する。
【００２５】
ステップＳＴ１７においては、上述したように、３秒以上ＣＩが検出されていないかどうかを判定する。３秒以上ＣＩが検出されない場合は、ステップ１９に移行する。ステップＳＴ１９においては、直前のＣＩ列はＴＩＲだったかを判定し、ＴＩＲであるとステップＳＴ２０に移行し、表示部７に“転送”を表示する。直前のＣＩ列がＴＩＲでない場合は、ステップＳＴ２０をスキップして、ステップＳＴ１に戻る。ステップＳＴ１８において、ＣＩが検出されている場合は、ステップＳＴ３に戻る。
【００２６】
【発明の効果】
請求項１に係る発明によれば、呼出信号の継続時間が所定時間以内か否かを判定し、所定時間以内であると、着信転送警告信号であるとし、所定時間を超える場合は情報受信端末信号とするものであるから、両信号を区別して検出でき、転送の報知と発信者番号を検出できる。
【００２７】
また、請求項２に係る発明によれば、発信者情報を検出した後、検出される呼出信号（０．５秒ＯＮ／ＯＦＦ）を検出した時、継続が所定時間以内の場合は、先の番号からの発呼が転送されたことを示す着信転送警告信号となり、所定時間以上継続の場合は、先の発呼は発呼者が放棄し、他の発呼者からの発呼があったことを示す情報受信端末信号となり、それぞれの信号を正しく検出できる。
【図面の簡単な説明】
【図１】この発明の実施形態ファクシミリ装置が適用される通信システムの機器構成を示すブロック図である。
【図２】この発明の一実施形態であるファクシミリ装置のハード回路構成を示すブロック図である。
【図３】同実施形態ファクシミリ装置の処理動作を説明するためのフロー図である。
【図４】図３に示すフロー図とともに、同実施形態ファクシミリ装置の処理動作を説明するためのフロー図である。
【符号の説明】
１        ＮＣＵ
２        モデム
３        画像メモリ
４        ＲＡＭ
５        ＲＯＭ
６        主制御部
７        表示部
８        操作部
９        読み取り部
１０      記録部
２１      回線
２２      データバス
２３      電話機
【図１】
0003690243.tif 000002
【図２】
0003690243.tif 000003
【図３】
0003690243.tif 000004
【図４】
0003690243.tif 000005